(57)【要約】      （修正有）【課題】障子が急激に閉鎖されるのを防止することができるようにしたコストの安い引戸の引込み装置を提供する。【解決手段】可動ラック２０に引張りばね３０を連結し、戸尻側端部に向けて付勢する。可動ラック２０の戸先側端部に、障子６の閉鎖状態で上枠２に固定されたトリガ１０の係合突部１１に係合して可動ラック２０を停止状態に保持し、障子６が所定の位置まで開放された時、係合突部１１から離反する方向に揺動して係合凹部２８に係合して可動ラック２０とケース１４の相対移動を防止する揺動可能なラッチ２４を連結する。可動ラック２０にピニオン３４を噛合し、そのピニオン３４を固定ラック３７に噛合する。ピニオン３４に直動形ダンパ４０を連結する。【選択図】図３
2011127276.tif 000002
【特許請求の範囲】
【請求項１】
躯体に固定された四辺形の枠体と、その枠体の内側の出入口を開閉するスライド可能な障子とを有し、前記枠体における上枠の戸当たり側の一端から長さ方向に片寄った位置の下面に、断面角形の係合突部を下部に有するトリガを固定し、前記障子の上部には、その障子のスライド方向に長く延びるケースを埋設し、そのケースの上部に、障子の開閉によってトリガの係合突部が抜き差しされるトリガ案内溝を設け、ケースの内部に組込まれた可動ラックを前記障子の開閉方向にスライド自在に支持し、その可動ラックに引張りばねを連結して可動ラックを障子の戸尻側に向けて付勢し、前記可動ラックの戸先側端部に縦軸を中心にして揺動可能とされ、前記ケースの戸先側端部内に形成された係合凹部が揺動側端部と対向する位置まで障子が開放された際に、その係合凹部に向けて揺動するラッチを連結し、そのラッチの揺動側端部に、障子が閉鎖される手前の位置で前記トリガの係合突部の一側面に当接してラッチを前記係合凹部から離反する方向に揺動させる当接面と、その当接面との間に前記係合突部を収容可能とする間隔をおいて設けられ、前記係合凹部に対する係合により可動ラックとケースの相対移動を防止し、ラッチの前記係合凹部から離反する方向への揺動により係合突部の他側面に係合して可動ラックを停止状態に保持するフックとを設け、前記可動ラックにピニオンを噛合し、そのピニオンを前記ケースの底板上面に設けられた固定ラックに噛合し、前記ピニオンが回転しつつ固定ラックの戸尻側端部に向けて移動する際に収縮して障子の閉鎖方向への移動に抵抗を付与する直動形ダンパを設けた引戸の引込み装置。
【発明の詳細な説明】
【技術分野】
【０００１】
この発明は、引戸が急激に閉鎖状態とされるのを防止する引戸の引込み装置に関する。
【背景技術】
【０００２】
躯体に固定された角形の枠体の内側に形成された出入口をスライド可能な障子によって開閉する引戸においては、障子が急激に閉められると、障子が枠体の戸当たり側の縦枠に衝撃的に当接して大きな衝突音を発し、ときには、障子の戸先側端面と戸当たり側の縦枠間に手先を詰めて怪我する危険がある。
【０００３】
そのような不都合を解消するため、特許文献１に記載された引戸の引込み装置においては、開放位置の障子が戸当たり側の縦枠に近接する位置まで閉鎖された際に一方向ロータリダンパを作動させて引戸に制動力を付与し、その制動力が付与される位置から引戸をゆっくりと閉鎖位置まで移動させるようにしている。
【０００４】
【特許文献１】特開２００６−３４８５５３号公報
【発明の開示】
【発明が解決しようとする課題】
【０００５】
ところで、上記特許文献１に記載された引戸の引込み装置においては、一方向ロータリダンパを２つ用い、開放位置にある引戸が急激に閉められた際に、その２つの一方向ロータリダンパを同時に作動させ、その作動後に一方の一方向ロータリダンパをフリー状態とし、残りの一方向ロータリダンパによって障子を低速度で閉鎖位置まで移動させるようにしているため、コストが高いという不都合がある。
【０００６】
そのような不都合を解消するため、本件出願人は、特開２００９−２１５７９９号公報において、単一の一方向ロータリダンパを用いて引戸が急激に閉鎖されるのを防止するようにしたコストの安い引戸の引込み装置を提案しているが、引戸に移動抵抗を付与し得るストローク量が比較的短く、改良すべき点が残されていた。
【０００７】
この発明の課題は、障子に移動抵抗を付与し得るストローク量を大きくとることができるようにした安全性に優れたコストの安い引戸の引込み装置を提供することである。
【課題を解決するための手段】
【０００８】
上記の課題を解決するために、この発明においては、躯体に固定された四辺形の枠体と、その枠体の内側の出入口を開閉するスライド可能な障子とを有し、前記枠体における上枠の戸当たり側の一端から長さ方向に片寄った位置の下面に、断面角形の係合突部を下部に有するトリガを固定し、前記障子の上部には、その障子のスライド方向に長く延びるケースを埋設し、そのケースの上部に、障子の開閉によってトリガの係合突部が抜き差しされるトリガ案内溝を設け、ケースの内部に組込まれた可動ラックを前記障子の開閉方向にスライド自在に支持し、その可動ラックに引張りばねを連結して可動ラックを障子の戸尻側に向けて付勢し、前記可動ラックの戸先側端部に縦軸を中心にして揺動可能とされ、前記ケースの戸先側端部内に形成された係合凹部が揺動側端部と対向する位置まで障子が開放された際に、その係合凹部に向けて揺動するラッチを連結し、そのラッチの揺動側端部に、障子が閉鎖される手前の位置で前記トリガの係合突部の一側面に当接してラッチを前記係合凹部から離反する方向に揺動させる当接面と、その当接面との間に前記係合突部を収容可能とする間隔をおいて設けられ、前記係合凹部に対する係合により可動ラックとケースの相対移動を防止し、ラッチの前記係合凹部から離反する方向への揺動により係合突部の他側面に係合して可動ラックを停止状態に保持するフックとを設け、前記可動ラックにピニオンを噛合し、そのピニオンを前記ケースの底板上面に設けられた固定ラックに噛合し、前記ピニオンが回転しつつ固定ラックの戸尻側端部に向けて移動する際に収縮して障子の閉鎖方向への移動に抵抗を付与する直動形ダンパを設けた構成を採用したのである。
【０００９】
上記の構成からなる引戸の引込み装置において、開放位置の障子が閉鎖位置に向けて急激に戻されると、トリガ案内溝内にトリガが侵入する。そのトリガの係合突部の一側面に対する当接面の当接により、ラッチが係合凹部から離反する方向に揺動して、フックがトリガの係合突部に係合する。
【００１０】
トリガの係合突部に対するフックの係合により可動ラックは停止状態に保持され、引張りばねの弾性により障子は閉鎖位置に向けて移動する。
【００１１】
このとき、停止状態にある可動ラックに対してピニオンが回転しつつ可動ラックの戸先側端部に向けて移動し、そのピニオンに噛合する固定ラックが、ピニオンの移動量の２倍の距離に相当する量をストローク量として戸当たり側に向けて移動する。
【００１２】
上記ピニオンの移動により直動形ダンパが収縮し、障子に対して移動抵抗を付与し、障子は戸当たり側の縦枠に当接する閉鎖位置までゆっくりと移動する。このとき、障子が低速度で移動する移動量（制動距離）は直動形ダンパのダンパストローク量の２倍の距離に相当する。このため、ダンパストロークの短い小型の直動形ダンパを採用した場合でも、制動距離を長くとることができ、障子の衝突による怪我の発生を未然に防止することができる。
【発明の効果】
【００１３】
上記のように、この発明に係る引戸の引込み装置においては、開放状態の障子が閉鎖され、その障子が戸当たり面の近くまで閉鎖されると、直動形ダンパが作動して障子に移動抵抗を付与するため、上記障子が戸当たり面に急激に衝突するのを防止することができる。
【００１４】
また、障子は、可動ラックと固定ラックにピニオンを噛合させた歯車機構によって直動形ダンパのダンパストローク量の２倍の距離に相当する量をストローク量として低速度で移動するため、ダンパストロークの短いコストの安い小型の直動形ダンパを採用した場合でも、制動距離を長くとることができる。このため、障子の衝突による怪我の発生をほぼ確実に防止することができ、安全性に優れたコストの安い引戸の引込み装置を得ることができる。
【図面の簡単な説明】
【００１５】
【図１】この発明に係る引戸の引込み装置の実施の形態を示す正面図
【図２】図１の拡大平面図
【図３】図２の縦断正面図
【図４】図３の一部を拡大して示す断面図
【図５】図４のV−V線に沿った断面図
【図６】図４のVI−VI線に沿った断面図
【図７】可動ラックとラッチの連結部を示す斜視図
【図８】障子の開放途中の状態を示す断面図
【図９】図８のIX−IX線に沿った断面図
【発明を実施するための形態】
【００１６】
以下、この発明の実施の形態を図面に基づいて説明する。図１および図２に示すように、躯体に固定される枠体１は、上枠２、下枠３および左右一対の縦枠４によって四辺形の枠組みとされている。なお、図１では、戸当たり側の縦枠４のみを示し、戸尻側の縦枠は省略している。
【００１７】
枠体１の内側に形成された出入口５には障子６が設けられ、その障子６の下部には下枠３の上面に固定したレール７に沿って転動可能な複数の戸車８が取付けられている。また、障子６の上部は上枠２に形成されたガイド溝９にスライド自在に嵌合されている。
【００１８】
図３および図５に示すように、上枠２に形成されたガイド溝９の上壁には、戸当たり側縦枠４との間に所定の間隔、実施の形態では１３０ｍｍ程度の間隔をおいてトリガ１０がねじ止めによる手段を介して取付けられている。トリガ１０は、角形の係合突部１１を下端に有し、その係合突部１１の両側には、図９に示すように、相反する方向に傾斜するテーパ面１２が形成されている。
【００１９】
図３および図５に示すように、障子６の上部には、戸先側端面から障子６のスライド方向に長く延びるケース収容溝１３が形成され、そのケース収容溝１３内に角形のケース１４が収容され、ねじ止めによる手段を介して障子６に固定されている。
【００２０】
図５に示すように、ケース１４には、上部から順にトリガ案内溝１５、ラッチガイド孔１６、ラック案内孔１７およびピニオン案内孔１８が形成され、上記トリガ案内溝１５はケース１４の戸先側端面からケース１４の長手方向に長く延び、そのトリガ案内溝１５に対してトリガ１０の係合突部１１が侵入可能とされ、障子６の閉鎖状態で上記係合突部１１がトリガ案内溝１５内に配置されるようになっている。
【００２１】
図７に示すように、ラッチガイド孔１６、ラック案内孔１７およびピニオン案内孔１８はケース１４の戸先側端部から戸尻側端部に向けて長く延び、上記ラック案内孔１７内には可動ラック２０が組込まれている。
【００２２】
可動ラック２０は、ラック案内孔１７の長さ方向にスライド自在とされ、その下面にはその長さ方向にラック歯２０ａが形成されている。また、可動ラック２０の上面にはラッチガイド孔１６内においてスライド可能な突出部２１が設けられている。
【００２３】
図４乃至図７に示すように、突出部２１の戸先側端面には支持片２２が設けられ、その支持片２２に支持された縦軸としてのピン２３を中心にしてラッチ２４が揺動自在に支持されている。
【００２４】
ラッチ２４はラッチガイド孔１６内においてスライド自在とされ、その揺動側端部の一側には、障子６の閉鎖方向への移動時にトリガ１０の係合突部１１に当接可能な当接面２５と、その当接面２５から揺動側端にフック２６とが設けられ、そのフック２６と当接面２５間に上記係合突部１１を収容可能とする間隔が設けられている。
【００２５】
フック２６は、トリガ１０の係合突部１１に対して係合可能とされ、その上部はラッチ２４の上面より上位に位置し、また、下部はラッチ２４の下面より下方に位置している。
【００２６】
また、フック２６は、係合突部１１に対する係合状態で、その上部がトリガ案内溝１５内に臨むと共に、下部はラック案内孔１７の上部内に臨んで、ケース１４と可動ラック２０が障子６のスライド方向に相対移動するのを阻害することのないようにされている。
【００２７】
図３および図９に示すように、ケース１４の戸先側端部内には、ラッチ２４のフック２６が係合突部１１から離反する方向への揺動を可能とする係合凹部２８が形成され、その係合凹部２８の戸尻側端面２９に対するフック２６の戸尻側端面の端部の係合によって可動ラック２０は戸尻側端部に向けてスライドするのが防止されるようになっている。
【００２８】
図３に示すように、可動ラック２０の突出部２１には引張りばね３０の一端部が連結され、その引張りばね３０の他端が障子６の戸尻側端部内に組込まれた係止体３１に連結されている。
【００２９】
引張りばね３０は、ラッチ２４のフック２６がトリガ１０の係合突部１１に係合する可動ラック２０の停止状態で障子６を戸当たり側縦枠４に向けて付勢するようになっている。
【００３０】
図４および図５に示すように、ピニオン案内孔１８内には平面形状を角形とするピニオン支持枠３２が組込まれ、そのピニオン支持枠３２の対向側板３３間にピニオン３４が組込まれている。
【００３１】
ピニオン３４のピニオン軸３５はピニオン支持枠３２の側板３３によって回転自在に支持され、そのピニオン軸３５の両端部に設けられた一対のフランジ３５ａがケース１４の側板内面に形成されたガイド孔３６内にスライド自在に挿入されている。ガイド孔３６はケース１４の両端方向に長く延び、上記ピニオン３４は障子６の開閉方向に移動自在とされている。
【００３２】
ピニオン３４は、可動ラック２０のラック歯２０ａに噛合し、また、ピニオン案内孔１８の底面に固定された固定ラック３７の上面のラック歯３７ａと噛合している。
【００３３】
図３に示すように、ピニオン支持枠３２には直動形ダンパ４０が連結されている。直動形ダンパ４０は、シリンダ４１と、そのシリンダ４１内に挿入されたロッド４２を有し、そのロッド４２とシリンダ４１は伸縮自在とされ、伸張方向にはスムーズに伸長し、収縮方向にはシリンダ４１の内部に封入されたオイル等の流体によるダンパ作用によってゆっくりと収縮する一方向性の直動形ダンパが採用されている。
【００３４】
直動形ダンパ４０は、ロッド４２がピニオン支持枠３２に連結され、シリンダ４１はピニオン案内孔１８の底部に固定されている。この直動形ダンパ４０の伸縮量（ストローク量）はピニオン支持枠３２のガイド孔３６に沿って移動し得るピニオン３４の移動量より小さくなっている。実施の形態では、ストローク量が６５ｍｍ程度とされた小型の直動形ダンパ４０が採用されている。
【００３５】
実施の形態で示す引戸の引込み装置は上記の構造からなり、図３は障子６が出入口５を閉鎖している状態を示し、その状態から出入口５を開放する方向に障子６をスライドさせると、トリガ１０の係合突部１１に対するフック２６の係合によって可動ラック２０は停止状態に保持され、その停止状態の可動ラック２０に対して障子６およびその障子６に固定された固定ラック３７が相対移動し、ピニオン３４は回転しつつ可動ラック２０の戸尻側端部に向けて移動する。
【００３６】
また、ピニオン３４の移動により、直動形ダンパ４０が伸長する。このとき、直動形ダンパ４０は、シリンダ４１とロッド４２が伸長方向にはスムーズに相対移動する一方向性の直動形ダンパ４０であるため、その直動形ダンパ４０が障子６の開放を阻害するようなことがなく、障子６を小さい操作力によってスムーズに開放させることができる。
【００３７】
可動ラック２０と障子６の相対移動により、引張りばね３０は引き伸ばされて弾性力が高められる。ケース１４の戸先側端部に形成された係合凹部２８がラッチ２４のフック２６と対向する位置までケース１４が移動すると、ラッチ２４はピン２３を中心にしてフック２６がトリガ１０の係合突部１１から離反する方向に揺動して、係合突部１１とフック２６の係合が解除すると共に、図９に示すように、フック２６が係合凹部２８内に嵌り込み、その係合凹部２８の戸尻側端面２９にフック２６の戸尻側端面の端部が係合する。
【００３８】
係合凹部２８の戸尻側端面２９とフック２６の係合により、可動ラック２０とケース１４は相対移動することなく一体となって障子６と共に移動する。その移動時、ピニオン３４は、図８に示すように、可動ラック２０の戸尻側端部の位置まで移動して、ラック歯２０ａと噛合する状態にあると共に、固定ラック３７の戸先側端部がピニオン３４に噛合する状態にある。
【００３９】
図８および図９の状態から障子６はさらに同図の右方向に移動されて開放状態とされ、その移動時、トリガ１０の係合突部１１がトリガ案内溝１５から抜け出すことになる。
【００４０】
開放状態の障子６を閉鎖位置に向けてスライドさせると、その障子６が閉鎖位置の近くまで移動した時、図９に示すように、トリガ１０の係合突部１１がトリガ案内溝１５内に侵入する。
【００４１】
このとき、ラッチ２４に形成された当接面２５が係合突部１１と障子６のスライド方向で対向する状態にあるため、図９に示す状態からさらに障子６が閉められると、係合突部１１に当接面２５が衝突し、その衝突によってラッチ２４がピン２３を中心に揺動して、フック２６が係合突部１１に係合する。
【００４２】
上記トリガ１０の係合突部１１に対するフック２６の係合により、可動ラック２０は停止状態とされ、引張りばね３０の弾性によって障子６が閉じる方向に移動する。このとき、ピニオン３４は回転しつつ可動ラック２０の戸先側端部に向けて移動し、そのピニオン３４に噛合する固定ラック３７が、ピニオン３４の移動量の２倍の距離に相当する量をストローク量として戸当たり側に向けて移動する。
【００４３】
上記ピニオン３４の移動により直動形ダンパ４０が収縮する。このとき、直動形ダンパ４０は収縮方向にゆっくりと収縮する一方向性のものであるため、障子６は移動抵抗が付与されることになり、障子６は戸当たり側の縦枠４に当接する閉鎖位置までゆっくりと移動し、障子６の戸先面と戸当たり側縦枠４間に手先が挟まれるようなことはない。
【００４４】
このように、開放状態の障子６が閉鎖され、その障子６が戸当たり側の縦枠４の近くまで閉鎖されると、直動形ダンパ４０が作動して障子に移動抵抗を付与するため、上記障子６が急激に閉められたとしても、縦枠４に急激に衝突するようなことがない。
【００４５】
また、障子６は、可動ラック２０と固定ラック３７にピニオン３４を噛合させた歯車機構によって直動形ダンパ４０のダンパストローク量の２倍の距離に相当する量をストローク量として低速度で移動するため、ダンパストロークの短いコストの安い小型の直動形ダンパ４０を採用した場合でも、制動距離を長くとることができる。このため、障子６の衝突による怪我の発生をほぼ確実に防止することができ、安全性に優れたコストの安い引戸の引込み装置を得ることができる。
【符号の説明】
【００４６】
１      枠体
２      上枠
５      出入口
６      障子
１０    トリガ
１１    係合突部
１４    ケース
１５    トリガ案内溝
２０    可動ラック
２４    ラッチ
２５    当接面
２６    フック
２８    係合凹部
３０    引張りばね
３４    ピニオン
３７    固定ラック
４０    直動形ダンパ
【図１】
2011127276.tif 000003
【図２】
2011127276.tif 000004
【図３】
2011127276.tif 000005
【図４】
2011127276.tif 000006
【図５】
2011127276.tif 000007
【図６】
2011127276.tif 000008
【図７】
2011127276.tif 000009
【図８】
2011127276.tif 000010
【図９】
2011127276.tif 000011